(57)【特許請求の範囲】
【請求項１】
隔壁で仕切られた複数の投入箇所を有する水中構造物に、投入手段により中詰材を投入する水中構造物における中詰材の投入管理装置において、
前記中詰材の投入量を各投入箇所毎に表示する管理用制御手段を備え、
この管理用制御手段は、
前記投入箇所に対応して設けられた投入箇所表示部と、
前記隔壁に対応して設けられた隔壁表示部と、
前記投入手段により定まる投入量により前記投入箇所における中詰材の高さを表示する高さ表示部と、
前記隔壁を挟んで隣合う前記投入箇所の中詰材の高低差を表示する高低差表示部と
を備えることを特徴とする水中構造物における中詰材の投入管理装置。
【請求項２】
前記投入箇所表示部に設けられ、前記投入手段により定まる投入量により該投入箇所における中詰材の高さを表示する前記高さ表示部と、
前記隔壁表示部に設けられ、前記隔壁を挟んで隣合う前記投入箇所の中詰材の高低差を表示する前記高低差表示部と
を備えることを特徴とする請求項１記載の水中構造物における中詰材の投入管理装置。
【請求項３】
前記隣合う投入箇所の中詰材の高低差が設定値に達すると、中詰材の高さが低い投入箇所に対応する投入箇所表示部に警告表示を行うことを特徴とする請求項１又は２記載の水中構造物における中詰材の投入管理装置。
【請求項４】
前記投入手段に対応して作業用制御手段を設け、
この作業用制御手段は、前記投入箇所に対応して設けられた投入箇所表示部と、前記隔壁に対応して設けられた隔壁表示部とを備え、
前記管理用制御手段の操作により前記作業用制御手段の前記投入箇所表示部に中詰材の投入指示を行うように構成したことを特徴とする請求項１〜３のいずれか１項に記載の水中構造物における中詰材の投入管理装置。
【請求項５】
複数の前記投入手段に対応して複数の前記作業用制御手段を備え、それら複数の投入手段に対応して前記複数の投入箇所表示部を分割し、この分割した複数の投入箇所表示部を前記作業用制御手段にそれぞれ設けたことを特徴とする請求項４記載の水中構造物における中詰材の投入管理装置。
【発明の詳細な説明】
【技術分野】
【０００１】
本発明は、中詰材を投入して構築する水中構造物における中詰材の投入管理装置に関する。
【背景技術】
【０００２】
護岸工事や水中構造物構築工事などにおいては、ケーソンや鋼製セル等からなる構造物中に土砂、岩ズリ、砕石などの中詰材を投入して水中構造物を構築する施工方法が知られている（例えば特許文献１）。
【０００３】
上記ケーソンのような水中構造物は隔壁により内部が複数の投入箇所に分割され、この投入箇所は上部が開口し、水を入れて沈設した後、内部に中詰材を均一に投入する。また、コストの削減には隔壁の厚さを必要最小限にすることが好ましため、施工時において隣合う投入空間の充填高さの高低差を一定範囲に保つ必要があり、一定範囲を超えるとその偏土圧により隔壁を損傷する虞がある。
【０００４】
そこで、従来の管理方法は、目盛りを施した索条体の下端に錘を設けたレッドを用いたり、超音波式計測器を用いたりしていた。しかし、レッドを用いる方法では、水中構造物の上で作業員が海水などを満たした投入箇所にレッドを入れて測定作業を行うため、安全管理上、中詰材の投入を休止した状態で測定を行う必要があり、投入作業を中断するために時間的なロスが発生する。また、複数の投入箇所の全て測定する必要があり、作業員の移動にも時間を要する。さらに、測定値を記録するなどの手間が掛かり、測定間違いや記入間違いなどのミスを誘発する虞もある。
【０００５】
また、超音波式測定器を用いる方法では、投入箇所内の海水などに濁り、気泡がなくなるまで待機する必要があり、測定作業に時間を要し、投入作業に支障を来たす。
【０００６】
一方、測定作業の効率化を図るものとして、水中構造物の内壁に被覆伝線をその先端が内壁の縦方向位置の所定位置になるように敷設し、被覆電線はその先端で導電体が絶縁されかつ露出可能なように処理された端末処理部を有し、被覆電線とアースとの間の電気抵抗を測定し、水中構造物内での中詰材の堆積により被覆電線の先端で端末処理部が損傷して導電体が水中に露出することで電気抵抗が低下したことを検知することによって中詰材の天端高および中詰量を計測する方法が提案されている（例えば特許文献２）。
【０００７】
上記特許文献２の方法では、端末未処理部が中詰材で損傷を生じない場合や、中詰材投入の衝撃により伝線の途中が切れてしまった場合では正確な測定を行うことができない。また、被覆電線自体の費用と被覆電線を設置する費用が嵩み、さらに、被覆電線が水中構造物中に異物として残ってしまう。
【先行技術文献】
【特許文献】
【０００８】
【特許文献１】特開平９−２６８５６３号公報
【特許文献２】特開２０１０−１９６４３８号公報
【発明の概要】
【発明が解決しようとする課題】
【０００９】
そこで、本発明は上記した問題点に鑑み、複数の投入箇所を有する水中構造物において、投入箇所に均等に中詰材を投入することができる水中構造物における中詰材の投入管理装置を提供することを目的とする。
【課題を解決するための手段】
【００１０】
請求項１に係る発明は、隔壁で仕切られた複数の投入箇所を有する水中構造物に、投入手段により中詰材を投入する水中構造物における中詰材の投入管理装置において、前記中詰材の投入量を各投入箇所毎に表示する管理用制御手段を備え、この管理用制御手段は、前記投入箇所に対応して設けられた投入箇所表示部と、前記隔壁に対応して設けられた隔壁表示部と、前記投入手段により定まる投入量により前記投入箇所における中詰材の高さを表示する高さ表示部と、前記隔壁を挟んで隣合う前記投入箇所の中詰材の高低差を表示する高低差表示部とを備えることを特徴とする。
【００１１】
また、請求項２に係る発明は、前記投入箇所表示部に設けられ、前記投入手段により定まる投入量により該投入箇所における中詰材の高さを表示する前記高さ表示部と、前記隔壁表示部に設けられ、前記隔壁を挟んで隣合う前記投入箇所の中詰材の高低差を表示する前記高低差表示部とを備えることを特徴とする。
【００１２】
また、請求項３に係る発明は、前記隣合う投入箇所の中詰材の高低差が設定値に達すると、中詰材の高さが低い投入箇所に対応する投入箇所表示部に警告表示を行うことを特徴とする。
【００１３】
また、請求項４に係る発明は、前記投入手段に対応して作業用制御手段を設け、この作業用制御手段は、前記投入箇所に対応して設けられた投入箇所表示部と、前記隔壁に対応して設けられた隔壁表示部とを備え、前記管理用制御手段の操作により前記作業用制御手段の前記投入箇所表示部に中詰材の投入指示を行うように構成したことを特徴とする。
【００１４】
また、請求項５に係る発明は、複数の前記投入手段に対応して複数の前記作業用制御手段を備え、それら複数の投入手段に対応して前記複数の投入箇所表示部を分割し、この分割した複数の投入箇所表示部を前記作業用制御手段にそれぞれ設けたことを特徴とする。
【発明の効果】
【００１５】
請求項１の構成によれば、投入手段により中詰材を投入箇所に投入すると、中詰材の高さと隣合う投入箇所の中詰材の高低差とが表示され、これらの表示に基づいて投入作業を行うことにより、隣合う投入箇所の中詰材の高低差で隔壁に悪影響を与えることなく、均一な投入作業を行うことができる。
【００１６】
また、請求項２の構成によれば、投入箇所表示部に高さ表示部を設けると共に、隔壁表示部に隣合う前記投入箇所の中詰材の高低差を表示する高低差表示部を設けることにより、中詰材の投入高さを、視覚を通して的確に把握することができる。
【００１７】
また、請求項３の構成によれば、警告表示に従って低い方の投入箇所に中詰材を投入することにより、投入高さを均一にすることがきる。
【００１８】
また、請求項４の構成によれば、作業用制御手段が投入指示を受け、作業者が投入手段により投入を行うことにより、管理者が管理用制御手段を用いて投入量の管理を行うことができる。
【００１９】
また、請求項５の構成によれば、複数の投入手段を用いる場合、管理用制御手段により複数の作業用制御手段を用いて中詰め作業を効率よく行うことができる。
【図面の簡単な説明】
【００２０】
【図１】本発明の実施例１を示す全体平面図である。
【図２】同上、水中構造物の縦断面図である。
【図３】同上、全体平面説明図である。
【図４】同上、表示手段である主ディスプレイの正面図である。
【図５】同上、主ディスプレイの正面図であり、始めの投入指示状態を示す。
【図６】同上、主ディスプレイの正面図であり、投入指示状態を示す。
【図７】同上、主ディスプレイの正面図であり、警告表示の一例を示す。
【図８】同上、主ディスプレイの正面図であり、高さ補正手段の使用状態を示す。
【図９】同上、副ディスプレイの正面図である。
【発明を実施するための形態】
【００２１】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる水中構造物における中詰材の投入管理装置を採用することにより、従来にない水中構造物における中詰材の投入管理装置が得られ、その水中構造物における中詰材の投入管理装置を夫々記述する。
【実施例１】
【００２２】
以下、本発明の水中構造物における中詰材の投入管理装置を添付図面を参照して説明する。図１〜図９は、本発明の実施例１を示し、同図に示すように、水中構造物である据付ケーソン１は、既設水中構造物である既設防波堤２に沿って海底のマウンド上に据え付けられ、底板３の四方に外壁４，４，４，４を設け、これら周囲の外壁４，４，４，４間に平面で前後左右方向の隔壁５，５を設けて複数の投入箇所６，６・・・を升目状に配置している。この例では、左右（図中でも左右）に並んだ４つの枡目が前後（図中でも前後）に４列に並んで配置されている。尚、以下の説明では、図中左上角の枡目の投入箇所を１行１列の投入箇所６、右上角の枡目の投入箇所を１行４列の投入箇所６、右下角の枡目の投入箇所６を４行４列の投入箇所６と称して説明する。
【００２３】
投入管理装置１１は、前記既設防波堤２に主管理制御手段（管理用制御手段）たる主コンピュータ１２を配置し、この主コンピュータ１２は、表示手段である主ディスプレイ１３と、各種の入力及び操作を行う入力操作手段であるキーボード１４及びマウスや左右の操作ボタン付のタッチパット１５とを備え、また、前記据付ケーソン１を挟んだ左右には、投入船たる左右のガット船１６，１６が配置され、このガット船１６は投入手段たるグラブバケット１７を備え、それら左右のガット船１６，１６には、それぞれ副管理制御手段（作業用制御手段）たる副コンピュータ１２Ａを配置し、この副コンピュータ１２Ａは、表示手段である副ディスプレイ１３Ａと、各種の入力及び操作を行う入力操作手段であるキーボード１４及びマウスや左右の操作ボタン付のタッチパット１５とを備える。また、それらコンピュータ１２，１２Ａは、無線手段によりそれぞれデータのやり取りが行われるように設定され、さらに、以下に説明するように、定められたプログラムと、入力操作手段などによる操作及び入力データなどに基き、各ディスプレイ１３，１３Ａに投入状態などに係わる表示を行うように制御し、その入力したデータを記憶する。また、投入指示者である管理者が前記主コンピュータ１２を操作し、各ガット船１６，１６の作業者が前記副ディスプレイ１３Ａに表示された指示データなどに基づいて中詰材７の投入作業を行う。また、各ディスプレイ１３，１３Ａにタッチセンサーとしての機能を付与し、表面の所定箇所に接触することにより、各種の操作及び入力を行うようにしてもよい。そして、前記投入管理装置１１は主コンピュータ１２及び副コンピュータ１２Ａ，１２Ａなどから構成される。
【００２４】
図４〜図８は、主管理制御手段たる主コンピュータ１２の主ディスプレイ１３の表示を示し、前記据付ケーソン１の平面形状に対応して、前記投入箇所６に対応する投入箇所表示部６１を前記投入箇所６と同様に升目状に配置し、この投入箇所表示部６１は投入箇所の輪郭を四角い枠線により現し、それら投入箇所表示部６１の間に前記隔壁５を示す隔壁表示部５１を配置している。また、前記投入箇所表示部６１の内部には、中詰材７の投入量を表示する投入量表示部たる高さ表示部６２が設けられ、この高さ表示部６２は丸い枠線内に高さを表す数値を表示してなる。また、前記隔壁表示部５１には、隣合う投入箇所表示部６１，６１の間に高低差表示部５２を設け、この高低差表示部５２は、左右方向に長い略長方形の枠線内に、隣合う投入箇所６，６間における中詰材７の投入高さの差を示す数値を表示してなる。さらに、投入箇所表示部６１内又は該当する投入箇所表示部６１を示す箇所には、投入指示表示部６３が表示され、この投入指示表示部６３は、「投入中」の文字を長方形の枠線で囲んでなり、投入作業をすべき投入箇所６に対応する投入箇所表示部６１を、入力装置であるマウスや左右の操作ボタン付のタッチパットによりクリックして選択すると、前記投入指示表示部６３の「投入中」が表示される。また、後述するように、主コンピュータ１２により投入指示表示部６３を表示すると、このデータが対応する副コンピュータ１２Ａに送られる。
【００２５】
また、升目状に配置した複数の前記投入箇所表示部６１，６１に対応する位置、この例では左右には、左右のガット船１６，１６に係わる情報表示箇所及び入力箇所が設けられ、上から現在使用中のガット船１６の番号を示す投入船表示部２１と、隣合う投入箇所６，６間の投入高さの差の限界値を表示する限界値表示部２２と、隣合う投入箇所６，６間の投入高さの差の管理値を表示する管理値表示部２３と、投入回数表示部２４と、投入数量表示部２５と、グラブ容量表示部２６と、１回の投入による高さを示す１投入表示部２７とを有する。前記投入回数表示部２４は、今回の投入回数（図中左側）と中詰めが完了する予定回数（図中右側）とを表示し、前記投入数量表示部２５は、今回の投入容量（図中左側）と中詰めが完了する予定容量（図中右側）とを表示する。尚、限界値表示部２２と管理値表示部２３は入力手段などを操作して数値を変更することができる。
【００２６】
投入管理装置１１は、前記投入船表示部２１と、グラブ容量表示部２６と、１回の投入による高さを示す１投入表示部２７の各種データを、各ガット船１６毎に予め記憶されており、ガット船１６を選択することにより、投入船表示部２１にはガット船１６の番号として「投入船（ｎ）：ｎは自然数」、グラブ容量表示部２６として例えば「3.0ｍ３」、１回の投入による高さを示す１投入表示部２７として例えば「0.1ｍ」が表示される。したがって、「投入船（１）」に対応するガット船１６による中詰材７の投入が完了したら、即ち、搭載した中詰材７がなくなったら、次の「投入船（３）」であるガット船１６と交代して中詰作業を開始し、その前に、投入船表示部２１を「投入船（３）」に切り替えると、この「投入船（３）」のデータがグラブ容量表示部２６と１投入表示部２７に表示される。尚、投入作業が完了した「投入船（１）」は、現場を離れて新たに中詰材７を積み込んだ後、現場に戻って投入作業が完了した「投入船（３）」と交代する。
【００２７】
また、グラブバケット１７による１回の投入量を補正する投入量変更表示部２８を備え、この投入量変更表示部２８には、例えば「100％」、「75％」「50％」、「25％」の複数の選択表示部２９があり、これら選択表示部２９をマウスや左右の操作ボタン付のタッチパットなどでクリックして選択することにより、選択表示部２９のいずれかを選択することができ、初期には「100％」が選択されており、「100％」では１回の投入量をグラブ容量として計算し、「75％」、「50％」、「25％」ではその数値の割合をグラブ容量に掛けた値を１回の投入量として計算する。例えば、投入が進むと、ガット船１６に搭載した中詰材７の山が小さくなっていくから、グラブ容量の１００％を掬うことができなくなる場合があり、このような場合、投入量変更表示部２８を操作して実際の投入量に近い値に設定することができ、管理者がグラブバケット１７が掬った中詰材７の量が半分程度と判断した場合は、「50％」を選択すると、この場合は、1.5ｍ３（「3.0ｍ３」×０・５）が投入量として各種データが計算される。
【００２８】
また、前記投入箇所表示部６１は左右中央に分割箇所５３を設け、この分割箇所５３を境目にして左右の領域で異なる色に着色されている。例えば、右側を赤系統の色、左側を青系統の色とし、右側が右側のガット船１６に対応し、左側が左側のガット船１６に対応する。
【００２９】
尚、副入力装置としてマウスや左右の操作ボタン付のタッチパットを使用する場合、分割箇所５３の右側の選択などの操作をマウスや左右の操作ボタン付のタッチパットの右クリックにより行い、分割箇所５３の左側の選択などの操作をマウスや左右の操作ボタン付のタッチパットの左クリックにより行うようにプログラムしてもよい。
【００３０】
さらに、左右両側の下方には、投入量や投入回数などの計算を実施する計算実施部３１が「投入」を枠線で囲んで設けられ、その計算実施部３１の下部に投入に係わる計算を取り消す投入取消部３２が「投入取消」を枠線で囲んで設けられている。
【００３１】
図９は、副管理制御手段たる副コンピュータ１２Ａの副ディスプレイ１３Ａの表示を示し、据付ケーソン１の右側に中詰材７を投入するガット船１６の副ディスプレイ１３Ａには、前記主ディスプレイ１３の右側に対応する前記投入箇所表示部６１が升目状に配置され、据付ケーソン１の左側に中詰材７を投入するガット船１６の副ディスプレイ１３Ａには、前記ディスプレイ１３の左側に対応する投入箇所表示部６１が升目状に配置され、投入箇所表示部６１には投入指示表示部６３Ａが設けられ、この投入指示表示部６３Ａには、投入を指示する「投入せよ」などが表示される。また、副ディスプレイ１３Ａの左右方向一側には、前記主ディスプレイ１３と同様に、対応するガット船１６に係わる情報表示箇所が設けられ、上から現在使用中のガット船１６の番号を示す前記投入船表示部２１と、投入回数表示部２４Ａと、投入数量表示部２５Ａと、前記グラブ容量表示部２６と、１回の投入による高さを示す前記１投入表示部２７とを有する。前記投入回数表示部２４Ａは、今回の投入回数を表示し、前記投入数量表示部２５Ａは、今回の投入容量を表示する。
【００３２】
また、複数回の投入作業を行った後、必要に応じて、前記レッドを用いた中詰材７の高さの測定を行い、実際の高さと誤差が発生した場合は、図８に示すように、高さ補正手段３３により中詰材７の高さを補正する。高さ補正手段３３は、盛高変更ボタン３４を備え、盛高変更ボタン３４をクリックして操作した後、変更する投入箇所表示部６１を選択すると、入力画面たるポップアップ画面３５が表示され、ポップアップ画面３５にレッドにより補正した高さを入力し、ＯＫボタン３６を選択すると、高さ表示部６２，高低差表示部５２、投入数量表示部２５などの中詰材７の高さに関連する数値が変更される。
【００３３】
次に、前記コンピュータ１２，１２Ａを備えた投入管理装置１１による中詰材７の投入管理方法の一例を説明する。管理者が投入の支持をしたい投入箇所６に対応する投入箇所表示部６１をマウスや左右の操作ボタン付のタッチパットにより選択すると、投入指示表示部６３に「投入中」が表示され、同時に副ディスプレイ１３Ａの対応する投入箇所表示部６１に「投入せよ」などが表示され、この表示にしたがって作業者が指示された投入箇所６に中詰材７を投入する。この場合、管理者は左右のガット船１６の作業者にそれぞれ指示する。指示した管理者が計算実施部３１の「投入」を選択すると、高さ表示部６２，投入回数表示部２４及び投入数量表示部２５などが計算されてそれぞれの数値が表示されると共に、高低差表示部５２には、隣合う投入箇所６，６間における中詰材７の投入高さの差を示す数値を表される。尚、投入指示表示部６３の「投入中」の指示は、次の指示を行う前に限り、投入取消部３２を操作して取り消すことができる。尚、管理者は左右のガット船１６，１６が交互に中詰材７を投入するように指示することが好ましい。
【００３４】
投入を繰り返し、図７に示すように、隣合う投入箇所６，６間の高低差が管理値を越えると、低い方の投入箇所６（１行１列，２行３列）に対応する投入箇所表示部６１に警告表示が現れ、この例では、管理値表示部２３に設けた警告色（例えば黄色）に、投入箇所表示部６１の色が変わり、また、隣合う投入箇所６，６間の高低差が限界値を越えると、低い方の投入箇所６（２行２列，３行１列）に対応する投入箇所表示部６１に警告表示が現れ、この例では、限界値表示部２２に設けた警告色（例えば赤色）に、投入箇所表示部６１の色が変わり、これらを管理者が直感的に認識することができる。これにより管理者が低い方の投入箇所６に中詰材７を投入するように指示することにより、高低差が限界値を超えないように中詰め作業を行うことができる。
【００３５】
また、ガット船１６の中詰材７が無くなったら、投入船表示部２１を操作して次のガット船１６のデータに切り替え、投入を継続する。
【００３６】
以上のように中詰材７の投入管理者がガット船１６に対してディスプレイ１３，１３Ａを通して投入位置を指示できると共に、投入完了箇所を投入管理装置１１が記録して、中詰材７の投入高さや投入量を主ディスプレイ１３に表示することで、隣接する投入箇所６，６の高低差を把握しながら、過大な偏土圧が隔壁５に作用しないように管理することができる。また、レッドなどを使用する実際の測定の回数を低減でき、安全性の向上を図ることができると共に、中詰材７の投入作業の休止時間が減り作業効率を向上することができる。
【００３７】
このように本実施例では、請求項１に対応して、隔壁５で仕切られた複数の投入箇所６，６・・・を有する水中構造物たる据付ケーソン１に、投入手段たるグラブバケット１７により中詰材７を投入して該据付ケーソン１を構築する水中構造物における中詰材７の投入管理装置において、中詰材７の投入量を各投入箇所６毎に表示する管理用制御手段たる主コンピュータ１２を備え、この主コンピュータ１２は、投入箇所６に対応して設けられた投入箇所表示部６１と、隔壁５に対応して設けられた隔壁表示部５１と、グラブバケット１７により定まる投入量により投入箇所６における中詰材７の高さを表示する高さ表示部６２と、隔壁５を挟んで隣合う投入箇所６，６の中詰材７の高低差を表示する高低差表示部５２とを備えるから、グラブバケット１７により中詰材７を投入箇所６に投入すると、中詰材７の高さと隣合う投入箇所６の中詰材７の高低差とが表示され、これらの表示に基づいて投入作業を行うことにより、隣合う投入箇所６，６の中詰材７の高低差で隔壁５に悪影響を与えることなく、均一な投入作業を行うことができる。
【００３８】
また、このように本実施例では、請求項２に対応して、投入箇所表示部６１に設けられ、投入手段たるグラブバケット１７により定まる投入量により該投入箇所６における中詰材７の高さを表示する高さ表示部６２と、隔壁表示部５１に設けられ、隔壁５を挟んで隣合う投入箇所６，６の中詰材７の高低差を表示する高低差表示部５２とを備えるから、投入箇所表示部６１に高さ表示部６２を設けると共に、隔壁表示部５１に隣合う投入箇所６，６の中詰材７の高低差を表示する高低差表示部５２を設けることにより、中詰材７の投入高さを、視覚を通して的確に把握することができる。
【００３９】
また、このように本実施例では、請求項３に対応して、隣合う投入箇所６，６の中詰材７の高低差が設定値に達すると、中詰材７の高さが低い投入箇所６に対応する投入箇所表示部６１に警告表示を行うから、警告表示に従って低い方の投入箇所６に中詰材７を投入することにより、投入高さを均一にすることがきる。
【００４０】
また、このように本実施例では、請求項４に対応して、投入手段たるグラブバケット１７に対応して作業用制御手段たる副コンピュータ１２Ａを設け、この副コンピュータ１２Ａは、投入箇所６に対応して設けられた投入箇所表示部６１と、隔壁５に対応して設けられた隔壁表示部５１とを備え、主コンピュータ１２の操作により作業用制御手段たる副コンピュータ１２Ａの投入箇所表示部６１に中詰材７の投入指示を行うように構成したから、副コンピュータ１２Ａが投入指示を受け、作業者がグラブバケット１７により投入を行うことにより、管理者が主コンピュータ１２を用いて投入量の管理を行うことができる。
【００４１】
また、このように本実施例では、請求項５に対応して、複数の投入手段たるグラブバケット１７，１７に対応して複数の副コンピュータ１２Ａ，１２Ａを備え、それら複数のグラブバケット１７，１７に対応して複数の投入箇所表示部６１，６１・・・を分割し、この分割した複数の投入箇所表示部６１，６１・・・を副コンピュータ１２Ａ，１２Ａにそれぞれ設けたから、複数のグラブバケット１７，１７を用いる場合、主コンピュータ１２により複数の副コンピュータ１２Ａ，１２Ａを用いて中詰め作業を効率よく行うことができる。
【００４２】
また、実施例上の効果として、投入箇所表示部６１を投入箇所６と略同径の方形にしたから、直感的に投入箇所表示部６１を判断できる。また、複数のガット船１６に対応して情報表示箇所及び入力箇所を設けたから、それらを用いて管理者が複数の作業者に適切に指示を行うことができる。さらに、投入管理装置１１は、前記投入船表示部２１と、グラブ容量表示部２６と、１回の投入による高さを示す１投入表示部２７の各種データを、各ガット船１６毎に予め記憶しているから、ガット船１６が交代したら、交代したガット船１６を投入船表示部２１において選択することにより、交代したガット船１６の情報を利用することができる。また、投入管理装置１１は、グラブバケット１７による１回の投入量を補正する投入量変更表示部２８を備えるから、グラブバケット１７の掬い量が規定のグラブ容量と異なる場合、補正することができる。また、升目状に配置した投入箇所表示部６１を複数のグラブバケット１７，１７に対応して分割し、分割箇所毎に各種データ及び入力を行い、また、色分けしたから、対応するガット船１６，１６に的確な指示を送ることができる。さらに、隣合う投入箇所６，６間の高低差が規定値（管理値又は限界値）を越えると、低い方の投入箇所６に対応する投入箇所表示部６１に警告表示を行い、この警告表示が色の変化により行われるから、高い警告効果が得られる。また、高さ表示部６２や高低差表示部５２を数値で表示することにより、規定値に対してそれぞれの値を数値管理しやすくなる。
【００４３】
尚、本発明は、本実施例に限定されるものではなく、本発明の要旨の範囲内で種々の変形実施が可能である。例えば、実施例では、升目状の投入箇所表示部を左右に分割したが、前後に分割してもよく、各種の表示などは、管理者及び作業者が実物と比較して見やすいようにディスプレイに表示すればよい。
【符号の説明】
【００４４】
１  据付ケーソン（水中構造物）
５  隔壁
６  投入箇所
７  中詰材
１１  投入管理装置
１２  主コンピュータ（管理用制御手段）
１２Ａ  副コンピュータ（作業用制御手段）
１３  主ディスプレイ（表示手段）
１３Ａ  副ディスプレイ（表示手段）
１７  グラブバケット（投入手段）
２１  投入船表示部
２２  限界表示部
２３  管理値表示部
２４  投入回数表示部
２５  投入数量表示部
２６  グラブ容量表示部
２７  １投入表示部
５１  隔壁表示部
５２  高低差表示部
５３  分割箇所
６１  投入箇所表示部
６２  高さ表示部
【図１】
0005644734.tif 000002
【図２】
0005644734.tif 000003
【図３】
0005644734.tif 000004
【図４】
0005644734.tif 000005
【図５】
0005644734.tif 000006
【図６】
0005644734.tif 000007
【図７】
0005644734.tif 000008
【図８】
0005644734.tif 000009
【図９】
0005644734.tif 000010